(57)【特許請求の範囲】
【請求項１】
フイルム巻取り用のスプールを収納するとともに、写真フイルムが出入りするフイルム出入り口を開放する開き位置と閉鎖する閉じ位置との間で回動自在な遮光蓋が組み込まれたフイルムカートリッジが予め装填され、
該遮光蓋の端部に係合して回動自在とされた蓋閉じ部材と、
この蓋閉じ部材を遮光蓋の閉じ位置に向けて付勢するバネと、
このバネの付勢に抗して一端を蓋閉じ部材に係合させ、該蓋閉じ部材を遮光蓋の開き位置で保持する保持位置と蓋閉じ部材の保持を解除する保持解除位置との間で揺動自在とされた保持レバーと、
前記写真フイルムの全てがフイルムカートリッジ内に巻き込まれた際に、保持レバーを保持解除位置に揺動させる巻込み終了検出手段とからなる遮光蓋閉鎖機構を備えたレンズ付きフイルムユニットにおいて、
前記巻込み終了検出手段は、巻上げノブと同軸で一体に回転する間欠ギヤと、
この間欠ギヤに間欠に噛合されて所定角度ずつ歩進されるカウンタギヤと、
このカウンタギヤと同軸で一体に回転し外周面に保持レバーの他端が当接するカム円板と、
このカム円板の外周面に設けられ、写真フイルムが全てフイルムカートリッジ内に巻き込まれるだけ巻上げノブが回転された際に、保持レバーの他端に対面して蓋閉じ部材の保持を解除させる切欠と、
この切欠よりもカム円板の回転方向の上流側でカム円板の外周面に設けられ、保持レバーの他端に当接して保持レバーを揺動させる突起を備え、
前記突起は、保持レバーを保持解除位置に揺動させる前に、蓋閉じ部材の保持が解除されないように該保持レバーを揺動させ、保持レバーと蓋閉じ部材との固着を解消することを特徴とするレンズ付きフイルムユニット。
【発明の詳細な説明】
【０００１】
【発明の属する技術分野】
本発明は、レンズ付きフイルムユニットに関し、更に詳しくは、フイルムカートリッジの取り出し時に遮光蓋が閉鎖されるレンズ付きフイルムユニットの改良に関するものである。
【０００２】
【従来の技術】
予め写真フイルムが装填され、簡単な撮影機構を備えたレンズ付きフイルムユニットが各種販売されている。このようなレンズ付きフイルムユニットのなかには、フイルム出入り口に遮光蓋を組み込んだフイルムカートリッジが装填されているものがある。フイルムカートリッジをレンズ付きフイルムユニットから取り出す際には、写真フイルムの曝光を防止するために遮光蓋が閉鎖されていなければならない。そのため、レンズ付きフイルムユニットからフイルムカートリッジを取り出す際、あるいは写真フイルムがフイルムカートリッジに全て巻き込まれた際に、遮光蓋を自動的に閉鎖する遮光蓋閉鎖機構が各種提案されている。
【０００３】
前記遮光蓋閉鎖機構は、遮光蓋の端部に係合して回動自在とされた蓋閉じ部材と、この蓋閉じ部材を遮光蓋の閉じ位置に向けて付勢するバネと、このバネの付勢に抗して一端を蓋閉じ部材に係合させ遮光蓋の開き位置で保持する保持位置と、蓋閉じ部材の保持を解除する保持解除位置との間で揺動自在とされた保持レバーと、写真フイルムの全てがフイルムカートリッジ内に巻き込まれたことを検出して保持レバーによる蓋閉じ部材の保持を解除させる巻込み終了検出手段とからなる。
【０００４】
前記巻込み終了検出手段としては、フイルムカートリッジのフイルム出入り口の近傍の写真フイルムの有無を検出するものや、全ての写真フイルムがフイルムカートリッジ内に巻き込まれるために必要な巻上げノブの回転数をカウントするものなどがある。
【０００５】
【発明が解決しようとする課題】
レンズ付きフイルムユニットが製造されてから遮光蓋が閉鎖されるまでの期間は、レンズ付きフイルムユニット個々で大きく差があり、保持レバーが長期間にわたって蓋閉じ部材を遮光蓋の開き位置で保持する場合がある。保持レバーや蓋閉じ部材は、コストや重量，強度，リサイクル性等との兼ね合いからポリスチレン等の安価なプラスチックによって製造されるが、蓋閉じ部材を遮光蓋の閉じ位置に向けて付勢するバネの付勢力や熱，振動等の影響によって、保持レバーと蓋閉じ部材とが固着してしまうことがあった。これによれば、巻込み終了検出手段が保持レバーに蓋閉じ部材の保持を解除させても、保持レバーと蓋閉じ部材とがくっついているため遮光蓋が閉鎖されず、これに気付かずにフイルムカートリッジをレンズ付きフイルムユニットから取り出して撮影済みの写真フイルムを曝光してしまうという問題がある。
【０００６】
また、保持レバーと蓋閉じ部材との固着は、材料に高価なプラスチックを使用すれば発生しないが、低価格で販売されるレンズ付きフイルムユニットには使用することができない。
【０００７】
本発明は、上記問題点を解決するためのもので、フイルムカートリッジの取り出し時に確実に遮光蓋が閉鎖されているようにすることを目的とする。
【０００８】
【課題を解決するための手段】
上記問題点を解決するために、本発明のレンズ付きフイルムユニットは、フイルムカートリッジ内に写真フイルムの全てが巻き込まれたことを検出する巻込み終了検出手段に、保持レバーに蓋閉じ部材の保持を解除させる前に、蓋閉じ部材の保持が解除されない程度に保持レバーを揺動させて、保持レバーと蓋閉じ部材との固着を解消する機能を持たせたものである。
【０００９】
また、蓋閉じ部材と保持レバーとを異なる材料で成形し、固着しにくくしたものである。
【００１０】
【発明の実施の形態】
図２は、本発明のレンズ付きフイルムユニット２の外観を示すものである。レンズ付きフイルムユニット２の前面には、撮影レンズ３，対物側ファインダ窓４，ストロボ発光を行うストロボ発光部５，ストロボユニットのオン，オフの切り換えを行う充電操作部材６，ファインダの視野範囲を切り換えるファインダ切換え操作つまみ７が設けられている。また、上面にはシャッタボタン８，残り撮影可能枚数を表示するカウンタ窓９，ストロボ充電の完了を表示する表示用ライトガイド１０が突出される開口１１や、全ての写真フイルムの巻き上げとフイルムカートリッジの遮光蓋の閉鎖との完了を示唆する表示開口１２とが設けられている。また、レンズ付きフイルムユニット２の背面側からは、１コマの撮影ごとに回転操作される巻上げノブ１３が露呈され、対物側ファインダ窓４に対面する位置に接眼側ファインダ窓１４（図３参照）が設けられている。
【００１１】
図３に示すように、レンズ付きフイルムユニット２は、写真フイルム１６と略円柱形状のカートリッジ本体１７とからなるフイルムカートリッジ１８が装填される本体部１９と、この本体部１９の前面に組み付けられる露光ユニット２０及びストロボユニット２１と、本体部１９の前面側及び背面側を覆うように組み付けられる前カバー２２及び後カバー２３とから構成されており、これらは爪係合によって組み立てられる。
【００１２】
本体部１９の前面側中央部には、前面側に組み付けられた露光ユニット２０から写真フイルム１６までの間の撮影光路を遮光する遮光筒２５が設けられている。この遮光筒２５の前面側には露光開口２５ａが形成されており、背面側には写真フイルム１６への露光範囲を規定するアパーチャーが形成されている。遮光筒２５を挟む左右には、カートリッジ本体１７とロール状に巻かれた写真フイルム１６とが製造段階で収納されるカートリッジ室２６とフイルムロール室２７とが一体に形成されている。カートリッジ室２６の上部には、カートリッジ本体１７のスプール２８に係合する巻上げノブ１３と、写真フイルム１６が全てカートリッジ本体１７に巻き込まれたことを検知して、カートリッジ本体１７の遮光蓋２９を閉鎖するとともに巻上げノブ１３をロックする遮光蓋閉鎖機構とが組み込まれている。
【００１３】
露光ユニット２０は、写真フイルム１６の移動によってチャージされるとともに、シャッタボタン８の押圧によってレリーズされるシャッタ機構と、写真フイルム１６の残り撮影可能枚数をカウントして表示するカウンタ機構と、写真フイルム１６の１コマ分の巻き上げを検知して巻上げノブ１３の回転をロックするフイルム巻止め機構の他、撮影レンズ３やファインダ光学系３２等が一体に組み込まれてユニット化されている。フイルム巻止め機構は、写真フイルム１６の全てのコマへの撮影が終了すると、巻上げノブ１３のロックを行わなくなる。
【００１４】
また、この露光ユニット２０には、ストロボユニット２１の充電完了を表示する表示用ライトガイド１０が上下方向でスライド自在に取り付けられている。この表示用ライトガイド１０は、充電操作部材６の上方へのスライド操作に連動してレンズ付きフイルムユニット２の上面から外部に突出する。
【００１５】
ストロボユニット２１は、各種電気部品が取り付けられてストロボ回路が形成されたプリント基板３４と、このストロボ基板３４に取り付けられ、放電管やリフレクタ，拡散板等からなるストロボ発光部５とからなる。プリント基板３４の下部には、ストロボユニット２１の電源として用いられる乾電池３５を保持するとともに、ストロボ回路に電気的に接続する金属接片３６ａ，３６ｂが取り付けられている。また、プリント基板３４の前面側には複数の導電部３７が設けられており、これらの導電部３７の前面側には、充電操作部材６が上方のオン位置に向けてスライドされると、充電操作部材６の背面に形成された突起（図示せず）に押圧されてプリント基板３４の導電部３７に接触し、ストロボ回路にストロボ充電を行わせる金属製の充電スイッチ接片３８が配置される。
【００１６】
前カバー２２は、シャッタボタン８や表示開口１２等が一体に形成された前カバー本体４０と、この前カバー本体４０の前面中央部に取り付けられる前面パネル４１と、これら前カバー本体４０と前面パネル４１との間に組み込まれる視野切換板（図示せず）及び充電操作部材６とからなる。視野切換板は、前カバー本体４０と前面パネル４１との間で撮影光軸の周りに回動自在に取り付けられており、前面パネル４１に形成された円弧形状のスリット４２内でスライド操作される操作つまみ７によって回動される。視野切換板には、対物側ファインダ窓４と露光ユニット２０のファインダ光学系３２との間に挿脱される複数のファインダ枠が一体に形成されている。これらのファインダ枠は、ファインダ視野をパノラマ，ハイビジョン，標準視野等に制限する。
【００１７】
また、視野切換板はファインダ視野の切り換え以外に、プリントサイズを示すドットマークを写真フイルム１６に写し込むマーク写し込み機構をも切り換える。マーク写し込み機構４４は、本体部１９の遮光筒２５の下部に組み込まれており、詳しくは図示しないが、写真フイルム１６の撮影範囲外に対面するように設けられた２個の写し込み開口と、これらの写し込み開口を選択的に開放，閉鎖するマーク切り換え板と、このマーク切り換え板を介して写し込み開口にマーク写し込み用の光をガイドする写し込み用ライトガイドと、これらを外光から遮光する遮光カバーと、視野切換板の回動をマーク切り換え板に伝達する回動レバー，スライドレバー等からなる。なお、写し込み用の光は、ストロボユニット２１のプリント基板３４の背面側に取り付けられた発光素子が用いられる。
【００１８】
後カバー２３には、写真フイルム１６の背面側を支持するフイルム支持面２３ａが形成されている。また、本体部１９のカートリッジ室２６とフイルムロール室２７との底面側を覆う底蓋４６と底蓋４７とが一体に設けられている。これらの底蓋４６，４７は、後カバー２３に対して屈曲自在な薄肉部を介して連結されており、底蓋４６は、使用後のレンズ付きフイルムユニット２からフイルムカートリッジ１８を取り出す際に開放される。
【００１９】
図４に示すように、カートリッジ本体１７は、プラスチックで成形された略半円柱形状の第１ケース４８，第２ケース４９と、これら第１ケース４８，第２ケース４９の外側に巻き付けられるラベル５０と、組み合わされた第１ケース４８，第２ケース４９の内部に組み込まれる各種部品とから構成されている。
【００２０】
カートリッジ本体１７内にはスプール２８が回転自在に収納され、このスプール２８に写真フイルム１６の一端が係止される。また、スプール２８の両端には、巻上げノブ１３が係合される係合穴２８ａが形成されており、第１，第２ケース４８，４９の端面から外部に露呈される。この係合穴２８ａ内には、キー溝２８ｂが形成されている（図５参照）。
【００２１】
第１，第２ケース４８，４９の合わせ目には、カートリッジ本体１７から写真フイルム１６を出入りさせるためのフイルム出入り口５２が形成されており、このフイルム出入り口５２の奥には、外部から駆動されて回動することによりフイルム出入り口５２を開閉する遮光蓋２９が組み込まれている。この遮光蓋２９の両端には、遮光蓋２９を回動させる駆動軸が係合する係合部２９ａが形成されており、スプール２８と同様に第１，第２ケース４８，４９の両端部から外部に露呈される。
【００２２】
第２ケース４９のフイルム出入り口５２の奥には、突起５４が形成されている。この突起５４は、スプール２８に巻かれた写真フイルム１６の先端部をすくい上げてフイルム出入り口５２に導く。
【００２３】
スプール２８の両端部には、ディスク５６，５７が回転自在に嵌め込まれる。これらのディスク５６，５７の外周には、リップ５６ａ，５７ａがそれぞれ向き合うように突出し、スプール２８に巻かれた写真フイルム１６の最外周を両端側から部分的に包み込み、カートリッジ本体１７内での巻き緩みを防止する。これにより、スプール２８が図中時計方向であるフイルム送出し方向に回転すると、写真フイルム１６はスプール２８と一緒に回転し、この回転途中で写真フイルム１６の先端が突起５４に導かれてフイルム出入り口５２から外部に送り出される。
【００２４】
スプール２８の端部でディスク５６の外側には、ロック部材５９が取り付けられる。このロック部材５９には、表示板６０とロックギヤ５９ａとが一体に形成されており、スプール２８と一体に回転する。符号６２は、スプール２８をロックするロックレバーである。ロックレバー６２は、遮光蓋２９が閉じ位置に回動したときに遮光蓋２９に一体に形成されたカムによって押圧され、ロック部材５９のロックギヤ５９ａに噛合してスプール２８の回転をロックする。このロックレバー６２によるスプール２８のロックは、遮光蓋２９が開き位置に回動したときに解除される。
【００２５】
スプール２８の他方の端部には、扇形に切り欠かれたデータ板６４が一体に形成されており、その表面には放射状のバーコードが印刷されている。このバーコードは、収納した写真フイルム１６の感度，撮影枚数等を示すもので、カメラ等の機器に装填された時に、機器内の装置で読み取られる。
【００２６】
図５に示すように、表示板６０が配置される側のカートリッジ本体１７の端面には、形状の異なる４個の表示開口６７ａ，６７ｂ，６７ｃ，６７ｄが形成されている。各表示開口６７ａ〜６７ｄには、それぞれ写真フイルム１６の使用状態を表す「未使用」，「撮影途中」，「撮影済み」，「現像済み」という意味が与えられている。前述の表示板６０は、カートリッジ本体１７内で表示開口６７ａ〜６７ｄの背後をスプール２８と一体に回転し、いずれかの表示開口の背後で停止される。そして、表示板６０が見えている表示開口に与えられている意味が、カートリッジ本体１７内に収納されている写真フイルム１６の状態を示すものとなる。なお、表示板６０が表示開口６７ｃの背後にあるときの係合穴２８ａのキー溝２８ｂの向きは、カートリッジ本体１７の基準線Ｌに対してθの角度となる。
【００２７】
図１及び図６に示すように、カートリッジ室２６の上面中央には軸受け部７０が形成されており、この軸受け部７０には巻上げノブ１３が回転自在に取り付けられる。巻上げノブ１３の外周面にはギヤ１３ａが形成されており、回転操作（図中反時計方向）する際の指掛りがしやすくなっている。このギヤ１３ａには、露光ユニット２０に組み込まれたフイルム巻止め機構を構成する係止レバーがフイルム巻止め時に噛合するとともに、巻上げノブ１３の逆方向（図中時計方向）への回転を阻止する逆止爪７１が噛合する。この逆止爪７１は、カートリッジ室２６の上面に形成されている。なお、図面の煩雑化を避けるために、逆止爪７１を途中までしか描いていないが、本来の逆止爪７１は、図３に示すように、巻上げノブ１３のギヤ１３ａに係合する形態となっている。
【００２８】
巻上げノブ１３の下面には、軸受け部７０を介してカートリッジ本体１７のスプール２８の係合穴２８ａに挿入される駆動軸７３と、巻込み終了検出手段を構成する間欠ギヤ７４と、カム突条７５とが一体に設けられている。駆動軸７３には、スプール２８の係合穴２８ａのキー溝２８ｂに係合するように、その外周面にキー７３ａが形成されている。間欠ギヤ７４は、軸受け部７０の外側に配置され、外周面に歯７４ａが１つ設けられている。カム突条７５は、円環状の突条の内壁面７５ａがカムとして用いられるもので、内壁面７５ａには、写真フイルム１６が全てカートリッジ本体１７内に巻き込まれた際に巻上げノブ１３をロックするために使用されるロック用切欠７５ｂが形成されている。
【００２９】
また、カートリッジ室２６の上面には多数のピンが立設されており、これらのうちの２本には、巻込み終了検出手段を構成する減速ギヤ７７とカウンタギヤ７８とが回転自在に取り付けられる。減速ギヤ７７は、大径の上ギヤ７７ａと小径の下ギヤ７７ｂとからなり、上ギヤ７７ａは間欠ギヤ７４の歯７４ａに間欠に噛合されて所定角度（一歯分）ずつ歩進される。下ギヤ７７ｂは、巻上げノブ１３の回転数をカウントするカウンタギヤ７８に噛合する。
【００３０】
カウンタギヤ７８は、全ての写真フイルム１６が巻き上げられた後に誤って回転しないように、カウント終了後に減速ギヤ７７に対面する部分には歯が形成されていない。カウンタギヤ７８の上部には、カウンタギヤ７８と一緒に回転するカム円板８２が一体に設けられている。このカム円板８２の外周面には、巻上げノブ１３の回転数を検出するための切欠８３が形成されており、この切欠８３の回転方向の上流側には固着解消用の突起８４が形成されている。
【００３１】
カートリッジ室２６の上面から側方に向けて突出される突出部２６ａの上面には、減速ギヤ７７の上ギヤ７７ａに係合して震動や衝撃等により減速ギヤ７７及びカウンタギヤ７８が誤回転するのを防止する弾性片８０ａが設けられた板バネ８０が取り付けられる。なお、この板バネ８０には、カウンタギヤ７８に係合する弾性片腕部８０ｂがもう１本設けられているが、この弾性片８０ｂは、カートリッジ室２６の上面にカウンタギヤ７８を組み付ける際の位置決めに用いられるれる。なお、自動組み立て等で位置決めが必要ない場合や、他の位置決め方法を用いる場合には、板バネ８０には弾性８０ａだけを設ければよい。
【００３２】
なお、巻上げノブ１３の回転数を直接カウンタギヤ７８でカウントしてもよいが、最多のコマ数の写真フイルム１６（例えば４０枚撮り）を全てカートリッジ本体１７内に巻き上げる場合には、スプール２８をおよそ４５回転させなければならず、カウンタギヤ７８が１回転以上してしまうという問題がある。また、これだけの回転数をカウンタギヤ７８の１回転以内でカウントするには、インボリュート歯形を用いる場合にピッチ円直径が１２〜１５ｍｍも必要となり、カートリッジ室２６の上部に組み込むことができなくなる。そのため、本発明では、間欠ギヤ７４とカウンタギヤ７８との間に減速ギヤ７７を組み込んでいる。
【００３３】
カートリッジ室２６の上面で、カートリッジ本体１７の遮光蓋２９に対面する位置には軸受け穴８６が形成されており、この軸受け穴８６には、遮光蓋２９を閉鎖する蓋閉じ部材８７が回動自在に取り付けられる。この蓋閉じ部材８７は、遮光蓋２９の係合穴２９ａに挿入されて係合する係合軸８７ａと、この係合軸８７ａの上部に一体に形成された係止レバー部８８とからなる。この蓋閉じ部材８７は、係止レバー部８８に取り付けられるバネ８９によって、図中反時計方向の遮光蓋２９の閉じ位置に向けて付勢されている。
【００３４】
また、カートリッジ室２６の上面の別のピンには、一端に蓋閉じ部材８７の係止レバー８８に係合する係合爪９１ａが形成され、他端にカム円板８２の外周面８２ａに対面する検知用突起９１ｂが形成された保持レバー９１が揺動自在に取り付けられる。この保持レバー９１の係合爪９１ａは、蓋閉じ部材８７の係止レバー部８８に形成された被係合爪８８ａに、蓋閉じ部材８７が遮光蓋２９の開き位置にある状態で係合する。これにより、保持レバー９１は、蓋閉じ部材８７を介してバネ８９によって図中時計方向に付勢されることになり、他端部に設けられた検知用突起９１ｂがカム円板８２の外周面８２ａに圧接する。なお、軸受け穴８６の近傍には、遮光蓋２９の閉じ位置に回動した蓋閉じ部材８７の回転量を規制する規制ピン９０が立設されている。
【００３５】
保持レバー９１は、カウンタギヤ７８の上方でカム円板８２に当接するため、カウンタギヤ７８に干渉しないように部分的に薄肉化されている。また、保持レバー９１の上部には、カム突条７５の内側に配置され、全ての写真フイルム１６の巻込み終了後にカム突条７５の切欠７５ｂに係合するロック用突起９３と、同じく全ての写真フイルム１６の巻込み終了後に表示開口１２から外部に表示される表示部９４ａを有する表示用アーム部９４とが一体に形成されている。この表示部９４ａは、前カバー２２及び後カバー２３とは異なる色で着色されて視認しやすくなっている。なお、保持レバー９４を前カバー２２及び後カバー２３と異なる色のプラスチックで成形する場合には、表示部９４ａに着色を施す必要はない。
【００３６】
次に上記実施形態の作用について説明する。図２及び図３に示すレンズ付きフイルムユニット２の組立て工程では、暗室でフイルムカートリッジ１８を装填する作業がある。この作業は、カートリッジ本体１７から未露光の写真フイルム１６を引き出してフイルムロールを作成し、カートリッジ本体１７をカートリッジ室２６に軸方向から装填した後に、フイルムロールをフイルムロール室２７に背面側から装填している。このときのカートリッジ本体１７からの引出し量は管理されており、この引出し量はフイルム後端部の最初のコマを露光開口２５ａにセットする分だけ引き出した後に、さらに１コマ分の長さだけ引き出す。このように工場で未露光の写真フイルム１６の引出し量を管理することで、フイルムロール室２７に収納された写真フイルム１６をカートリッジ本体１７の内部に全部巻き込むための巻上げノブ１３の所定回転数を一定にすることができる。
【００３７】
各部品が組み込まれ、フイルムカートリッジ１８が装填されたレンズ付きフイルムユニット２は、各種検査を経て包装され出荷される。このレンズ付きフイルムユニット２では、全てのコマへの撮影終了後にロックが掛かるまで巻上げノブ１３の回転を続けてもらうための説明が、例えば包装袋や外装面に記されている。
【００３８】
使用前のレンズ付きフイルムユニット２の遮光蓋閉鎖機構は、図６に示すように、カム円板８２の外周面８２ａに保持レバー９１の検知用突起９１ｂが当接している。また、蓋閉じ部材８７は、保持レバー９１の係合爪９１ａに被係合爪８８ａが係合されているため、バネ８９の付勢に抗して遮光蓋２９の開き位置に保持されている。保持レバー９１の表示用アーム部９４の表示部９４ａは、表示開口１２から外れた位置にあるため表示開口１２からは視認されない。
【００３９】
未使用時のレンズ付きフイルムユニット２は、シャッタチャージが行われておらず、また巻上げノブ１３がロックされていないため、最初に撮影を行う際には、巻上げノブ１３を回転操作してシャッタチャージを行う。巻上げノブ１３が回転操作されると、駆動軸７３に係合されたカートリッジ本体１７のスプール２８が回転し、写真フイルム１６がスプール２８に巻き付けられてカートリッジ本体１７内に巻き上げられる。この写真フイルム１６の移動により、露光ユニット２０に組み込まれたシャッタ機構がチャージされ、更にフイルム巻止め機構により巻上げノブ１３がロックされる。
【００４０】
また、巻上げノブ１３の回転により、一体に回転する間欠ギヤ７４が歯７４ａで減速ギヤ７７の上ギヤ７７ａを所定角度回転させ、これと一体に回転する下ギヤ７７ｂがカウンタギヤ７８を回転させる。カム円板８２は、外周面８２ａに保持レバー９１の検知用突起９１ｂが圧接した状態でカウンタギヤ７８と一体に回転する。
【００４１】
シャッタチャージ後は、接眼側ファインダ窓１４を覗いて撮影範囲を確認する。また、ストロボ撮影を行う場合には、充電操作部材６を上方にスライドさせてストロボ充電を行う。更に、撮影サイズを切り換える場合には操作つまみ７を操作してファインダの視野範囲を切り換えるとともに、マーク写し込み機構を切り換える。撮影準備の完了後にシャッタボタン８を押下すると、露光ユニット２０のシャッタ機構がレリーズ動作する。これにより、撮影レンズ３と露光開口２５ａと介して写真フイルム１６が露光される。また、同時にマーク写し込み機構により、写真フイルム１６の撮影範囲外にプリント範囲を示すマークが写し込まれる。
【００４２】
以上のように写真フイルム１６の全てのコマに撮影が終了すると、露光ユニット２０のフイルム巻止め機構が動作しなくなる。ユーザーは、包装袋等の説明に従って、巻上げノブ１３にロックがかかるまで巻上げノブ１３を回転操作する。カム円板８２の外周面８２ａに形成された切欠８３は、写真フイルム１６の全てがカートリッジ本体１７内に巻き込まれる所定回転数だけ巻上げノブ１３が回転操作されると、保持レバー９１の検知用突起９１ｂに対面する。
【００４３】
切欠８３が検知用突起９１ｂに対面すると、保持レバー９１はバネ８９に付勢された蓋閉じ部材８７に押圧され、検知用突起９１ｂを切欠８３内に挿入するようにして図中時計方向に揺動される。これにより、保持レバー９１のロック用突起９３がカム突条７５の内壁面７５ａに当接する。この状態から更に巻上げノブ１３が回転されると、巻上げノブ１３の１回転以内でカム突条７５のロック用切欠７５ｂがロック用突起９３に対面し、保持レバー９１はロック用突起９３をロック用切欠７５ｂに、検知用突起９１ｂをカム円板８２の切欠８３に挿入するようにバネ８９の付勢によって揺動する。
【００４４】
更に巻上げノブ１３が回転されると、図７に示すように、ロック用突起９３とロック用切欠７５ｂとが係合するので、巻上げノブ１３の回転がロックされる。また、巻上げノブ１３が保持レバー９１によってロックされた状態では、巻上げノブ１３の駆動軸７３のキー７３ａが、基準線Ｌに対してθの角度となるため、カートリッジ本体１７の表示板６０は、図５に示すように、撮影済みを表す表示開口６７ｃの背後で停止されることになる。これにより、ユーザーがレンズ付きフイルムユニット２からフイルムカートリッジ１８を取り出した場合でも、未使用品と誤ってカメラに装填してしまうという問題が発生しない。
【００４５】
なお、保持レバー９１のロック用突起９３がカム突条７５の内壁面７５ａに当接してから巻上げノブ１３が回転されるが、巻上げノブ１３が所定回転数だけ回転されると、変速ギヤ７７の下ギヤ７７ｂにはカウンタギヤ７８の歯の無い部分が対面するため、巻上げノブ１３の回転によってカウンタギヤ７８が回転してしまうことはない。
【００４６】
また、保持レバー９１が揺動すると蓋閉じ部材８７は遮光蓋２９の開き位置での保持が解除されるため、バネ８９の付勢によって図中反時計方向の遮光蓋２９の閉じ位置に向けて回動され、同時に蓋閉じ部材８７の係合軸８７ａに係合された遮光蓋２９も閉じ位置に回動される。閉じ位置に向けて回動した蓋閉じ部材８７は、係止レバー８８が規制ピン９０に当接することにより回転を規制されるので、バネ８９の付勢によって遮光蓋２９が破損するようなことはない。遮光蓋２９が閉鎖された後には、係止レバー部８８の外周が保持レバー９１の係合爪９１ａに当接して保持レバー９１の不要な揺動を阻止する。
【００４７】
保持レバー９１が揺動すると、表示用アーム部９４の表示部９４ａは表示開口１２の下に移動するので、レンズ付きフイルムユニット２の外から表示開口１２内を見ることにより、フイルム巻き上げと遮光蓋２９の閉鎖とが終了しているか否かを簡単に確認することができる。
【００４８】
使用後のレンズ付きフイルムユニット２は、そのまま現像所に提出される。現像所では、表示開口１２を確認することにより、写真フイルム１６が全て巻き上げ済みであるか否かがすぐに判断することができ、巻き上げが完了している場合には、そのレンズ付きフイルムユニット２をフイルムカートリッジ１８の取出し工程に送り、巻き上げが完了していない場合には、巻上げノブ１３にロックがかかるまで回転操作してからフイルムカートリッジ１８の取出し工程に送る。
【００４９】
取出し工程では、レンズ付きフイルムユニット２の底蓋４６を開放してフイルムカートリッジ１８が取り出される。遮光蓋２９が閉じられているフイルムカートリッジ１８は、明室内でレンズ付きフイルムユニット２から取り出すことができるので、取出し工程は明室に設けることができる。取り出されたフイルムカートリッジ１８は、閉じ位置に回転されている遮光蓋２９に押圧されたロックレバー６２によりスプール２８がロックされているので、使用状態の表示は確実に撮影済みとなっている。
【００５０】
取り出したフイルムカートリッジ１８からは写真フイルム１６が引き出され、現像処理される。現像処理された写真フイルム１６は、マーク写し込み機構によって写し込まれたマークにしたがって、指定のサイズでプリントされる。現像済みの写真フイルム１６は、元のカートリッジ本体１７に巻き戻され、このカートリッジ本体１７は表示板６０が「現像済み」を表す表示開口６７ｄの背後に停止された状態でプリント写真とともにユーザーに返却される。
【００５１】
また、レンズ付きフイルムユニット２が製造されてから全ての写真フイルム１６への撮影が終了するまで、製品によっては長い期間がかかるため、その期間中のバネ８９の強い付勢力や熱，振動等の環境によって、保持レバー９１の係合爪９１ａと蓋閉じ部材７８の被係合爪８８ａとが固着してしまうことがある。しかしながら、カム円板８２には、切欠８３の回転方向の上流側に突起８４が設けられているので、図８に示すように、切欠８３が保持レバー９１の検知用突起９１ｂに対面する前に、突起８４が検知用突起９１ｂに当接して保持レバー９１を揺動させる。これにより、保持レバー９１の係合爪９１ａと蓋閉じ部材７８の被係合爪８８ａとが固着していても確実に固着が解消され、切欠８３が検知用突起９１ｂに対面した際には、遮光蓋２９が適正に閉鎖される。
【００５２】
なお、上記実施形態では、写真フイルムの巻き込みの終了直前に保持レバーを揺動させるようにしたが、巻上げノブや間欠ギヤに保持レバーを僅かに揺動させる突起を設け、巻上げノブの回転操作のたびに保持レバーを揺動させて固着を防止するようにすることもできる。
【００５３】
また、遮光蓋の閉鎖時に巻き上げノブをロックするようにしたが、必ずしも巻き上げノブをロックする機構が設けなくてもよい。更に、蓋閉じ部材を付勢するバネの付勢力によって保持レバーを揺動させたが、保持レバーをバネにより付勢し、その際の揺動によって蓋閉じ部材を遮光蓋の閉じ位置に向けて回動させることもできる。
【００５４】
更に、保持レバーに設けた表示部と表示開口とによって、写真フイルムの巻き込みと遮光蓋の閉鎖との完了表示を行うようにしたが、蓋閉じ部材の閉じ位置への回動に連動して表示部材をレンズ付きフイルムユニットから突出させたり、あるいは引っ込ませたりしてもよい。また、カウンタギヤの上面に表示用のマークを設け、このマークを表示開口から視認できるようにしてもよい。更に、視覚的な表示を省いて、巻上げノブのロックだけで巻き込み完了表示を行ってもよい。
【００５５】
また、間欠ギヤとカウンタギヤとの間に減速ギヤを設けたが、カウンタギヤの歯数内で全て巻き上げられる枚数の写真フイルムならば、減速ギヤを省くことができる。同様に、必要な歯数を備えたカウンタギヤを組み込むスペースがレンズ付きフイルムユニット内に得られるならば、減速ギヤを省くことができる。
【００５６】
更に、巻込み終了検出手段としては、写真フイルムが全てカートリッジ本体内に巻き上げられるだけの巻き上げノブの回転数をカウントする方法を用いたが、特開平８−２１１５６５号公報記載の発明で提案されているように、フイルムカートリッジのフイルム出入り口の近傍で写真フイルムの有無を直接的に検出する方法を用いてもよい。
【００５７】
また、上記写真フイルムのカートリッジ本地外の存在を直接検出するタイプの巻込み終了検出手段において、保持レバーを予備的に揺動させることができない場合には、保持レバーの揺動は行わなくてもよい。この場合には、保持レバーと蓋閉じ部材とを、ポリアセタール（ＰＯＭ）とポリスチレン（ＰＳ）等の異なるプラスチックでそれぞれ成形する。異なる種類のプラスチック間では固着が起こりにくいため、保持レバーの予備的な揺動を行わなくても、遮光蓋を確実に閉鎖することができる。
【００５８】
【発明の効果】
以上説明したように、本発明のレンズ付きフイルムユニットよれば、保持レバーに蓋閉じ部材の保持を解除させる前に、蓋閉じ部材の保持が解除されないように保持レバーを揺動させ、保持レバーと蓋閉じ部材との固着を解消するようにしたので、写真フイルムの巻き込み終了後に確実にフイルムカートリッジの遮光蓋を閉鎖することができる。また、カム円板の外周面に突起を設けるだけでなので、低コストに採用することができる。
【００５９】
また、蓋閉じ部材と保持レバーとを異なる材質で成形して固着しにくくしたので、特別な機構や手段等を設けずに写真フイルムの巻き込み終了後に確実にフイルムカートリッジの遮光蓋を閉鎖することができる。
【図面の簡単な説明】
【図１】遮光蓋閉鎖機構の構成を示す分解斜視図である。
【図２】本発明のレンズ付きフイルムユニットの外観を示す斜視図である。
【図３】レンズ付きフイルムユニットの構成を示す分解斜視図である。
【図４】カートリッジ本体の構成を示す分解斜視図である。
【図５】カートリッジ本体の表示開口が設けられた側の端面を示す側面図である。
【図６】未使用時の際の遮光蓋閉鎖機構の状態を示す平面図である。
【図７】フイルム巻込み完了時の際の遮光蓋閉鎖機構の状態を示す平面図である。
【図８】保持レバーと蓋閉じ部材との固着解消時の遮光蓋閉鎖機構の状態を示す平面図である。
【符号の説明】
２  レンズ付きフイルムユニット
１３  巻上げノブ
１６  写真フイルム
１７  カートリッジ本体
１８  フイルムカートリッジ
７４  間欠ギヤ
７５  カム突条
７７  減速ギヤ
７８  カウンタギヤ
８２  カム円板
８４  突起
８７  蓋閉じ部材
【図１】
0003781328.tif 000002
【図２】
0003781328.tif 000003
【図３】
0003781328.tif 000004
【図４】
0003781328.tif 000005
【図５】
0003781328.tif 000006
【図６】
0003781328.tif 000007
【図７】
0003781328.tif 000008
【図８】
0003781328.tif 000009